Podtech/llm-jp-corpus-v4-ja_patent huggingface dataset:
(57)【要約】【課題】使用時に筆毛で肌をなでると、四季おりおりの花の香りが発散し、癒し効果を高めることができる化粧用ブラシを提供する。【解決手段】口金１２に束ねて取付けられる筆毛１１の先端は、花びら模様の花冠の形態をなし、口金内の花蕊１３を形成する筆毛内に花の香を発生させる芳香剤１４を入れる。【選択図】図５
0003149294.tif 000002
【実用新案登録請求の範囲】
【請求項１】
環状の口金により束ねられ、先端が花びら模様の花冠の形態をなす筆毛を備えた化粧用ブラシにおいて、筆毛内にマイナスイオンを発生させるマイナスイオン発生体或いは花の香りを発散させる芳香剤のうち、少なくとも一つを入れたことを特徴とする化粧用ブラシ。
【請求項２】
筆毛内に入れられる芳香剤が花びらの花の種類に対応した芳香剤であることを特徴とする請求項１記載の化粧用ブラシ。
【考案の詳細な説明】
【技術分野】
【０００１】
本考案は、フェイスブラシ、アイシャドウブラシ、リップブラシ等の化粧用ブラシに関する。
【背景技術】
【０００２】
図１〜図３は、特許文献１に開示される化粧用ブラシについて示すもので、図１は正面図、図２は同平面図、図３は図１のＡ−Ａ線断面を示すもので、山羊、馬、豚等の獣毛或いは、ナイロン、ポリプロピレン、ポリエチレンテレフタレート等の樹脂製の毛よりなる筆毛１を環状の口金２により束ねてなるものである。
【０００３】
図４は、特許文献２に開示されるフェイスブラシを示している。このフェイスブラシは、前述するような獣毛或いは樹脂製の毛よりなる筆毛４を口金５により束ねて樹脂製、木製或いは金属製の筒状の筆軸６に差込んで取付けてなるもので、筆軸６にはマイナスイオンを発生するマイナスイオン発生体、例えばゲルマニウム、セレニウム、トルマリン石、貴陽石、麦飯石、健緑石などの一種又は二種以上のマイナスイオン発生体を入れた袋７が蓋８を外した筆軸端から挿入して納められ、筆毛４で肌をなでると、マイナスイオンが発散し、これが鼻孔を通じて体内に取込まれ、心身をリラクゼーションして癒し効果を発揮させるようにしている。
【先行技術文献】
【特許文献】
【０００４】
【特許文献１】意匠登録第１３４２２７２号公報
【特許文献２】実用新案登録第３１２９０２０号公報
【考案の概要】
【考案が解決しようとする課題】
【０００５】
本考案は、特許文献２に開示される化粧用ブラシについて改良し、癒し効果をより一層高めることができる化粧用ブラシを提供することを目的とする。
【課題を解決するための手段】
【０００６】
請求項１に係わる本考案の化粧用ブラシは、環状の口金により束ねられ、先端が花びら模様の花冠の形態をなす筆毛を備えた化粧用ブラシにおいて、筆毛内にマイナスイオンを発生させるマイナスイオン発生体或いは花の香りを発散させる芳香剤のうち、少なくとも一つを入れたことを特徴とし、
請求項２に係わる発明は、請求項１に係わる発明の化粧用ブラシにおいて、筆毛内に入れられる芳香剤が花びらの花の種類に対応した芳香剤であることを特徴とする。
【考案の効果】
【０００７】
請求項１に係わる考案の化粧用ブラシによると、マイナスイオン発生体又は芳香剤より発生するマイナスイオン又は花の香りは、心身の癒し効果やリラクゼーション効果をもたらすが、マイナスイオン発生体又は天然香料が筆毛内に設けられることにより化粧時に筆下で肌をなでたとき、マイナスイオンや花の香りが発生し易くなり、心身の癒し効果やリラクゼーション効果をより一層高めることができる。
【０００８】
請求項２に係わる考案の化粧用ブラシによると、花、例えば四季おりおりの花に対応する香りを醸し出すことができる。
【図面の簡単な説明】
【０００９】
【図１】従来の化粧用ブラシの要部の正面図。
【図２】同平面図。
【図３】図１のＡ−Ａ線断面図。
【図４】従来のフェイスブラシの部分断面正面図。
【図５】本考案に係わる化粧用ブラシの要部の斜視図。
【図６】同平面図。
【考案を実施するための形態】
【００１０】
以下、本考案の実施形態の化粧用ブラシであるフェイスブラシについて図面により説明する。
図５は、本考案の筆毛１１を束ねて口金１２に取付けたフェイスブラシ要部の斜視図、図６は同平面図で、筆毛１１は先端が花びら模様の花冠の形態をなし、花蕊１３を形成する筆毛内、好ましくは口金内の花蕊１３内には、花びら模様の花冠の形態が例えば、バラの花冠の形態である場合、バラの香りを発生させる芳香剤１４が入れられて、筆毛１１に接着して取付けられている。そして使用時に筆毛１１で肌をなでると、バラの香りが発散し、その芳しさで心身の癒し効果が発揮されるようになっている。
香料１４は前述するように、花の種類に応じて花冠の形態と共に変えられ、四季おりおりに、その季節の花の香りが醸し出されるようにするとよい。
【符号の説明】
【００１１】
１１・・筆毛
１２・・口金
１３・・花蕊
１４・・芳香剤
【図１】
0003149294.tif 000003
【図２】
0003149294.tif 000004
【図３】
0003149294.tif 000005
【図４】
0003149294.tif 000006
【図５】
0003149294.tif 000007
【図６】
0003149294.tif 000008
(57)【要約】      （修正有）【課題】カプセルホテル利用客は自己のカプセルを内側から自由に施錠、開錠でき、施錠中は他の利用客は外側からカーテンを開閉できなくなり、風紀上の問題の解消や防犯効果が向上するカプセルルームのカーテン錠の構造を提供する。【解決手段】カプセルルームの本体枠とカーテンにカマ錠を取り付け、利用客が内側から施錠できるようにするとともに、ホテル関係者はマスターキーにて事件事故発生時は外側から開錠できるようにする。【選択図】図１
0003149279.tif 000002
【実用新案登録請求の範囲】
【請求項１】
カプセルホテルの個々のカプセルルーム入口設置のカーテン下部にカマ錠を取り付け、カプセルルーム本体枠の入口中央部にカマ錠の受け金を取り付けることを特徴とするカプセルルームのカーテン錠の構造
【請求項２】
カプセルルームのカマ錠のカマの受け金と本体枠とを同じ高さにすることを特徴とする請求項１記載のカプセルルームのカーテン錠の構造
【考案の詳細な説明】
【技術分野】
【０００１】
本考案は、カプセルルームの入口カーテンに関する。
【背景技術】
【０００２】
従来のカプセルホテルでは個々のカプセルルーム入口に上方から下ろすカーテンが取り付けられている。
【先行技術文献】
【特許文献】
【０００３】
【特許文献１】特許第３７８４９５１号
【考案の概要】
【考案が解決しようとする課題】
【０００４】
従来のカプセルホテルでは利用客は自己のカプセルルームも含めて他の利用客のカプセルルームの入口のカーテンも自由に開閉できるため、風紀上及び防犯上問題である。
【課題を解決するための手段】
【０００５】
図１に示すように個々のカプセルルーム入口のカーテン下端に鍵を取り付け、利用客は自己のカプセルを内側から必要に応じて施錠できるようにする。
【考案の効果】
【０００６】
鍵の取り付けによりカプセルホテル利用客は自己のカプセルを内側から自由に施錠、開錠でき、施錠中は他の利用客は外側からカーテンを開閉できなくなり、風紀上の問題及び防犯効果が向上する。ただしホテル関係者はマスターキーにて事件事故発生時は開錠できる。
【図面の簡単な説明】
【０００７】
【図１】カプセルルーム全体を外側から見た全体図とカマ錠の取り付け位置を示めした斜視図である。
【図２】カプセルルームの内側から（利用客が入室状態）見た入口部分とカマ錠の取り付け位置を示した斜視図である。
【図３】カーテンにカマ錠を取り付けた図１のＡ−Ａ‘の断面図である。
【図４】本体枠にカマ錠の受け金を取り付けた図１のＢ−Ｂ‘の断面図である。
【図５】カプセルルーム内側から見た施錠状態のカマ錠取り付け部分とカマが通る本体枠の窪みと受け金を示した平面図である。
【図６】カプセルルーム内側から見た開錠状態のカマ錠取り付け部分とカマが通る本体枠の窪みと受け金を示した平面図である。
【図７】カプセルルーム外側から見た施錠状態のカマ錠取り付け部分とカマが通る本体枠の窪みと受け金を示した平面図である。
【考案を実施するための形態】
【０００８】
本考案では図１、図２、図３に示すように個々のカプセルルーム入口のカーテン１の下端にカマ錠本体３を取り付ける。
【０００９】
図３に示すようにカマ錠本体３はサムターン５がカプセルルーム内側に、マスターキー６を挿入する鍵穴１０がカプセルルーム外側になるように取り付ける。
【００１０】
本体枠２の入口中央部分のカーテン１との交わる箇所に図２、図３に示すように本体枠２にカマ錠のカマ７が通る窪み４をつくり、その窪みの上に図４に示すようにカマ７が通る穴９の開いた受け金８を取り付ける
【００１１】
これらの実施により利用客はカプセルルームに入った後、図５、図７に示すようにカーテン１を下ろしカマ錠のサムターン５を回してカーテンを外側から開けられないように施錠でき、出る際は図６のようにサムターン５を回して開錠後、カーテンを開ける。
【００１２】
ホテル関係者は事故、事件発生時はカマ錠の鍵穴１０にマスターキー６を挿入して開錠できる。
【符号の説明】
【００１３】
１    カプセルルームの入口カーテン
２    カプセルルームの本体枠
３    カマ錠本体
４    カマ錠のカマが通る本体枠の窪み
５    カマ錠のサムターン
６    マスターキー
７    カマ錠のカマ
８    カマの受け金
９    カマの通る穴
１０  カマ錠の鍵穴
【図１】
0003149279.tif 000003
【図２】
0003149279.tif 000004
【図３】
0003149279.tif 000005
【図４】
0003149279.tif 000006
【図５】
0003149279.tif 000007
【図６】
0003149279.tif 000008
【図７】
0003149279.tif 000009
(57)【要約】【課題】正しい箸の使い方の練習が出来ると共に、手先が器用でない人、被介護者、子供の成長等の機能状況に応じて箸の開閉時に加わる付勢力が調整できる箸を提供すること。【解決手段】箸本体の可動箸１ａと固定箸１ｂとの後部位に取付けられた付勢スプリングＡを用いることで可動箸１ａを押し圧するだけで挟み取ることが可能になる。また付勢スプリングＡを脱着式の構成にすることで付勢力が調整可能になり手先が器用でない人、被介護者、子供の成長等の機能状況に応じる。箸本体の可動箸１ａと固定箸１ｂを連結する連結手段Ｃに角度付けすることで箸本体の可動箸１ａを圧するベクトルが正確に付勢力となり、より小さな力で箸本体の可動箸１ａと固定箸１ｂの開閉操作が可能な構成になっている。【選択図】図１
0003149223.tif 000002
【実用新案登録請求の範囲】
【請求項１】
箸本体の先端を常時開放するため、持ち手位置側に取付けられた孤状の付勢スプリングが用いられた構造からなる補助具付き箸。
【請求項２】
前記付勢スプリングと箸本体とを箸本体の後部位に穴を設け差し込む形状にし手先が器用でない人、被介護者、子供の成長等の箸本体の開閉操作に伴う機能状況に応じ前記付勢スプリングが脱着可能な構成からなる請求項１に記載の補助具付き箸。
【請求項３】
箸本体の固定箸と可動箸を連結する固定箸側の連結手段に角度を設けることで箸本体の可動箸を圧するベクトルが正確に付勢力へと加わる構成からなる請求項１に記載の補助具付き箸。
【考案の詳細な説明】
【技術分野】
【０００１】  本考案は使用する人の機能状況に応じることができるよう箸本体の可動箸と固定箸を連結する連結部材を備え、付勢スプリングを設けた構成にすることにより手先が器用でない人、被介護者、子供の成長等の機能状況に応じることが可能となる補助具付き箸に関する。
【背景技術】
【０００２】  日本の食生活では箸は欠かせないものであり手先が器用でない人、被介護者、子供の成長等の機能状況は個人差がある。従来、箸に関する様々な補助具が考案されているがより機能状況に応じて付勢スプリングの取外し可能な構造の補助具付き箸は無かった。
【考案の開示】
【考案が解決しようとする課題】
【０００３】  箸の原理を理解しながら動作の練習ができない問題があった。また手先が器用でない人、被介護者、子供の成長等、機能状況に応じた適当な付勢力を選択することができないという問題があった。
【課題を解決するための手段】
【０００４】  箸本体の先端を常時開放するため持ち手位置側に取付けられた孤状の付勢スプリングが用いられた構造からなる前記補助具付き箸。【０００５】  前記付勢スプリングと箸本体とを箸本体の後部位に穴を設け差し込む形状にし手先が器用でない人、被介護者、子供の成長等の箸本体の開閉操作に伴う機能状況に応じ前記付勢スプリングが脱着可能な構成からなる前記補助具付き箸。【０００６】  箸本体の可動箸と固定箸を連結する固定箸側の連結手段に角度を設けることで箸本体の可動箸を圧するベクトルが正確に付勢力へと加わる構成からなる前記補助具付き箸。
【考案の効果】
【０００７】  本考案は、箸本体の先端部を常時開放するように設けられた箸本体の後部位に形成される付勢スプリングを用いることにより可動箸を押し圧するだけで開閉操作が可能となる補助具付き箸を提供できる。【０００８】  本考案は、箸本体と付勢スプリングが結合されている差込穴から付勢スプリングの両端を抜き取ることが可能な構造にすることにより手先が器用でない人、被介護者、子供の成長等の機能状況に応じて付勢力が調整可能となる補助具付き箸を提供できる。【０００９】  本考案は、箸本体の可動箸と固定箸とを連結する連結手段に角度付けすることで可動箸を押し圧するベクトルが正確に付勢力となり、より小さな力で可動箸と固定箸の開閉操作が可能となる補助具付き箸を提供できる。
【実施例】
【００１０】  以下、図面を参照して本考案の実施例を詳細に説明する。【００１１】  図１ないし図２が示すように、本考案の補助具付き箸は可動箸１ａと固定箸１ｂとを連結部材Ｂ、Ｃ、Ｄで連結し構成される。また付勢スプリングＡで可動箸１ａと固定箸１ｂに付勢力を加える形状から構成される。【００１２】    図３が示すように、連結部材Ｂは可動箸１ａ、連結部材Ｃは固定箸１ｂというように箸本体と合成樹脂等にて一体成型されており連結部材Ｂは凹状、連結部材Ｃは凸状に形成される。連結部材Ｂ、Ｃを互いに噛合わせ支点となる連結部材Ｄを棒状に形成した連結部材により連結し構成される。【００１３】    連結部材Ｄの芯棒の両端は嵌め込める形状となっておりキャップＥを嵌め込み止める構造で使用されている。【００１４】    図３が示すように、連結部材Ｃの芯棒差込部位には角度が設けられた構造になっており開閉操作時に可動箸１ａから固定箸１ｂへと加わる付勢力をより正確な方向に伝えられる形状から構成される。【００１５】    図２ないし図４が示すように前記補助具付き箸本体の先端を常時開放するために設けられた可動箸１ａと固定箸１ｂとを当接するように付勢する箸保持具付勢スプリングＡで構成される。また付勢スプリングＡは弧状で成形されていて、両端はそれぞれ可動箸１ａと固定箸１ｂに差し込め取付け可能なように箸本体側に垂直に折り曲げてある形状から構成されている。【００１６】    図４が示すように前記箸保持具の付勢スプリングＡの受け側として可動箸１ａと固定箸１ｂそれぞれの係合部２ａ、２ｂに差込穴が設けられた形状からなる。また箸本体と付勢スプリングＡとをより安全かつ安定した固定方法として可動箸１ａと固定箸１ｂに一体成型される付勢スプリングＡを指し通すことが可能な付勢スプリングＡより一回り大きい空洞で形成されている。【００１７】    前記箸保持具付勢スプリングＡの正しい取付け方法として付勢スプリング両端を箸本体の先端方向から後方に向けスプリング固定部３ａ、３ｂに通し前記付勢スプリング折り曲げ部をそれぞれ係合部２ａ、２ｂに差込み固定するよう構成されている。【００１８】    前記箸保持具付勢スプリングＡの正しい取外し方法として付勢スプリング折り曲げ部を可動箸１ａと固定箸１ｂそれぞれの係合部２ａ、２ｂに差込穴から抜き取りスプリング固定部３ａ、３ｂを通している付勢スプリングＡを箸本体先端方向に引き抜き完全に分離できる構造で形成されており付勢力が調整可能となり機能状況に応じることができる。
【図面の簡単な説明】
【００１９】
【図１】本考案の実施例を示す説明図である。
【図２】本考案の結合部の詳細図である。
【図３】本考案の箸本体に連結部材を装着した様子を示す平面図である。
【図４】本考案の箸本体と連結部材を脱着した様子を示す平面図である。
【符号の説明】
【００２０】１ａ  可動箸
１ｂ  固定箸
２ａ、２ｂ  係合部
３ａ、３ｂ  スプリング固定部
Ａ  付勢スプリング
Ｂ  連結部材
Ｃ  連結部材
Ｄ  連結部材
Ｅ  キャップ
【図１】
0003149223.tif 000003
【図２】
0003149223.tif 000004
【図３】
0003149223.tif 000005
【図４】
0003149223.tif 000006
(57)【要約】      （修正有）【課題】耳の中を傷つけることがなく、大量生産が可能な耳かきを提供する。【解決手段】耳かき部が合成樹脂でできているため、木や竹のようなささくれ、亀裂ができない。また合成樹脂部は射出成型でできているので、手作りのようにバラつきがなく、削って作るのと比べて早く生産でき、多量に供給できる。軸は合成樹脂の成型時の熱に耐えるものなら、竹、木、金属、プラスチックに貫通孔をあけて使用でき、好みの弾力を作ることができる。また耳かき部の型を作ることにより、一種の軸で多種の耳かきを供給することができる。【選択図】図９
0003149227.tif 000002
【実用新案登録請求の範囲】
【請求項１】
軸に貫通孔があり、この貫通孔のまわりに合成樹脂で耳かき部をつけた耳かき。
【考案の詳細な説明】
【技術分野】
【０００１】本考案は耳あかを掃除するための耳かきに関するものである。
【背景技術】
【０００２】従来の耳かきは、木や竹でさじ状部を作って耳あかをかき出すものがある。［図１］は従来のさじ状部をもつ耳かきの平面図である。［図２］は従来のさじ状部をもつ耳かきの側面図である。［図３］は従来のさじ状部をもつ耳かきの左側面図である。
【考案の開示】
【考案が解決しようとする課題】
【０００３】従来の耳かきは、木や竹でさじ状部を作っており、［図１］のアのようにさじ形状を木や竹から削って作っている。またさらに［図２］のイのようにさじ部を曲げなくてはならない。この際にさじ部に亀裂ができたり、ささくれができたりし、耳の中を傷つける可能性がある。またさじ状部を作るには熟練を要し、多量の生産が困難である。また手作りによってさじ部を作成するため、形状、大きさにばらつきがある。
【課題を解決するための手段】
【０００４】本考案の軸の平面図が［図４］であり、側面図が［図５］であり、左側面図が［図６］で、貫通孔をつくってある。このまわりに合成樹脂で耳かき部をとりつける。本考案の合成樹脂で耳かき部をとりつけた平面図が［図７］であり、本考案の合成樹脂で耳かき部をとりつけた側面図が［図８］である。合成樹脂が貫通孔をとおり、かつ軸のまわりを合成樹脂がおおっている。本考案で作成された耳かき部［図７］のウや［図８］のエは合成樹脂でできており、形状は金型によって射出成型でできている。
【考案の効果】
【０００５】耳かき部が合成樹脂でできているため、木や竹のようなささくれ、亀裂ができない。また合成樹脂部は射出成型でできているので、手作りのようにバラつきがなく、削って作るのと比べて早く生産でき、多量に供給できる。
【実施例】
【０００６】［図７］［図８］のように軸部を合成樹脂がおおい、しっかり成型されている。要望に応じて［図９］や［図１０］の形状も簡単にできる。
【産業上の利用可能性】
【０００７】軸は合成樹脂の成型時の熱に耐えるものなら、竹、木、金属、プラスチックに貫通孔をあけて使用でき、好みの弾力を作ることができる。また耳かき部の型を作ることにより、一種の軸で多種の耳かきを供給することができる。
【図面の簡単な説明】
【０００８】
【図１】従来のさじ状部をもつ耳かきの平面図
【図２】従来のさじ状部をもつ耳かきの側面図
【図３】従来のさじ状部をもつ耳かきの左側面図
【図４】本考案の軸の平面図
【図５】本考案の軸の側面図
【図６】本考案の軸の左側面図
【図７】本考案の合成樹脂で耳かき部をとりつけた平面図
【図８】本考案の合成樹脂で耳かき部をとりつけた側面図
【図９】本考案の合成樹脂で耳かき部をとりつけた実施例
【図１０】本考案の合成樹脂で耳かき部をとりつけた実施例
【図１】
0003149227.tif 000003
【図２】
0003149227.tif 000004
【図３】
0003149227.tif 000005
【図４】
0003149227.tif 000006
【図５】
0003149227.tif 000007
【図６】
0003149227.tif 000008
【図７】
0003149227.tif 000009
【図８】
0003149227.tif 000010
【図９】
0003149227.tif 000011
【図１０】
0003149227.tif 000012
(57)【要約】      （修正有）【課題】吸水性が良く、洗濯機での丸洗いが可能な羽毛布団を提供する。【解決手段】キルティングを施して生地を強化した不織布と、しわ加工を施した不織布を２枚重ねて皮生地として羽毛２を上下から包み四方を縫い閉じた後、羽毛の片寄りを防ぐために皮生地ごと格子状に縫い付けて羽毛掛け布団を形成し、効率の良い丸洗いと乾燥を可能とする。【選択図】図２
0003149225.tif 000002
【実用新案登録請求の範囲】
【請求項１】
掛け布団の皮生地として、全面に約１０センチ間隔のキルティングを施した１枚目の不織布と、全面にしわ加工を施した２枚目の不織布を、１枚目が内側になるように重ね合わせて羽毛を上下から包み四隅を縫い閉じた後、２枚の不織布ごと３５センチから４０センチの間隔で格子状に縫い付けた羽毛掛け布団。
【考案の詳細な説明】
【技術分野】
【０００１】この考案は、洗濯の可能な羽毛掛け布団に関するものである。
【背景技術】
【０００２】従来の羽毛掛け布団は、羽毛を保温と耐久性に優れた皮生地で包み、羽毛の片寄りを防ぐために皮生地ごと格子状に縫い付けられている。
【考案の開示】
【考案が解決しようとする課題】
【０００３】従来の羽毛掛け布団の皮生地は、丈夫で保温に優れる反面、吸水性や通気性には乏しい。洗濯機で洗う際も、丈夫な皮生地が水や洗剤の浸透を妨げていた。押し縮めて吸水させようとしても、洗濯槽内で一杯に広がったままで効率の良い回転が出来ず、十分な洗浄が困難であった。そこで本案は、より効率良く清潔に洗い上げ、速やかに乾燥させることを目的とした。
【課題を解決するための手段】
【０００４】本案では、羽毛掛け布団を作る際に、不織布を用いて形状と性質に違いを持たせた２枚の皮生地を作る。羽毛と直に接する１枚目の皮生地には、使用する不織布の全面に約１０センチ幅のキルティングを施し強度を高める。その上から重ねて用いる２枚目の不織布には、使用する全面にしわ加工を施して表面積を増やす。１枚目と２枚目を重ねて羽毛を包み、２枚の皮生地ごと従来通り格子状に縫い付けて羽毛掛け布団本体とする。
【考案の効果】
【０００５】本案では、キルティングを施した不織布は強度が増し、羽毛の飛び出しや型くずれなどを防ぐ。また、しわ加工を施した不織布は表面積が増し、洗濯の際の水や洗剤の吸水を速める。その結果、羽毛内の空気が追い出され圧縮されやすくなり、洗濯槽内で回転するスペースも出来るため、まんべんなく清潔に洗い上がる。更に不織布は通気性も良いため、速やかな乾燥が可能となる。
【実施例】
【０００６】本案では、羽毛掛け布団１の皮生地３ａ・５ａに用途を別にする２枚の不織布３・５を用いる。羽毛２を直に包む１枚目の不織布３には、使用する全面に丈夫な素材の糸を用いて、約１０センチ間隔のキルティング４を施して生地を強化する。羽毛２の種類や容量に応じて不織布３の強度を更に高める必要があれば、キルティング４の間隔を狭めて対応する。２枚目の不織布５には、使用する全面にしわ加工６を施す。それによって表面積が増すため水や洗剤の浸透が速まり、より効率の良い洗浄が出来る。キルティング４を施した１枚目の皮生地３ａにしわ加工６を施した２枚目の皮生地５ａを重ねて羽毛２を上下から包み、四方を縫い閉じる。皮生地３ａの中で羽毛２の片寄りを防ぐために、２枚の皮生地３ａ・５ａごと３５センチから４０センチ間隔の格子状に縫い付けて羽毛掛け布団本体１とする。尚、通気性の良い布団本体１の寝具としての保温性と耐久性を確保するため、袋状の布団カバーを作り組み合わせて使用するものとする。布団カバーには、保温性が高く丈夫な生地のものが適している。特に表生地にはデザイン性に富むものが望ましい。
【図面の簡単な説明】
【０００７】
【図１】布団本体の平面図
【図２】布団本体の断面図
【符号の説明】
【０００８】１    羽毛掛け布団の布団本体
２    羽毛
３    １枚目の不織布
３ａ  １枚目の皮生地
４    キルティング
５    ２枚目の不織布
５ａ  ２枚目の皮生地
６    しわ加工
７    格子状のミシン線
【図１】
0003149225.tif 000003
【図２】
0003149225.tif 000004
(57)【要約】【課題】本考案は、日本の伝統こけし本体に、同じ伝統こけしの段階的大きさのものを安全に収納できる入れ子式収納を設け、保管と持ち運びの利便性を計る。【解決手段】本考案は、一番大きなこけしの木地無垢部分を薄くくり抜き、その中に同じ形のこけしを入れられるようにし、更にこけしの木地無垢部分をくり抜き、更にそれよりも小さなこけしを入れていくといった具合に、いくつでも収納可能となり、開閉部分にはそれぞれ凸凹をふちまわしに有し、ピタリとはまるようにする。多くのこけしの収納保管と持ち運びに役立つ。【選択図】図１ａ
0003149222.tif 000002
【実用新案登録請求の範囲】
【請求項１】
日本の伝統こけし本体を入れ子式にすることにより、小さいものはそれより小さいものを入れ、大きいものは更に大きいものの中に入れることができる、といった具合に、ロシアのマトリョーシカ人形の入れ子方式を採用したところを特徴とするこけし。
【考案の詳細な説明】
【技術分野】
【０００１】本考案は、木製人形の内側をくり抜き入れ子式収納を有する、ロシアのマトリョーシカ人形と日本の伝統こけしを合体せしものである。
【背景技術】
【０００２】日本古来からの伝統こけしは種類も多く、各系統ごとにその職人工人及び作者は大変な数になる。それらの作品を収集し、愛好するには飾る為の場所や収納場所が必要であり、かつ、持ち運びや移動には大変な負担と労力が必要であった。
【考案の開示】
【考案が解決しようとする課題】
【０００３】たくさんの数を見せて飾る場所の必要性や、美術工芸品である故、日光や蛍光灯の光から、描彩された染料の摩耗からそれらを守るには、経済的負担やスペースが必要となる。又、移動や持ち運びは、一つ一つ薄紙で包み、更にエアパッキンで包むといった、梱包、及び開封にも時間的労働的負担がある。従って、こけし本体に収納機能を有することにより、前述の欠点を解決すべく、収集家や愛好家にとって画期的な新案である。
【課題を解決するための手段】
【０００４】本考案は、こけし本体が同じ形状で大きさの違いのあるもの、あるいは、日本の伝統こけしの同系統のもので、大きさの違いのあるものを、大きい順から順々に入れ子式に収納することにより、問題点を解決している。
【考案の効果】
【０００５】入れ子方式のこけしは、収納、移動は勿論のこと、それらをひとつにまとめて飾ることも、又、収納された全てを出して飾っても、外側の形状において、大きさ・形を一分も変わらぬ状態で鑑賞することができる。更に、これらはロシアの伝統玩具マトリョーシカ人形の入れ子方式の採用であるが、本来その入れ子方式は、１８９０年代、箱根七福神の入れ子人形が海を渡り、一番初めのマトリョーシカをつくる元になったという歴史的背景を考えるに、日本のこけしとロシアのマトリョーシカを合体させた本考案は、日露友好の文化的交流の役割としての実用と新案も担っている。
【考案を実施するための最良の形態】
【０００６】入れ子方式のこけし本体の中心部の上下開閉部分を開け、小さいものから順番に収納していく。小さいものも、中を空洞にすることによって、より小さいものを入れることができ、大きいものはより大きなものの中へと、順々に収納することが可能となる。通常、形を同じくして、大きさの違う５〜１０個、多いものでは２０〜３０個のこけしを入れていくことができる。
［図２］［図３］［図４］はこけしを入れ子した状態を表し、［図４］以降の大きさのこけしを入れ子した状態は、［図２］［図３］［図４］に準ずる。
【産業上の利用可能性】
【０００７】本来、装飾品というものは、その本体であるところの素材や中身に有する材料自体を鑑賞するものではなく、（一部例外として、その素材自体や重量、あるいは、目に見えない内側に有する物を珍重する装飾品もあるが）一般的には、外側に表れる形態・色彩・模様を鑑賞し愉しむものであるので、その内側を利用し何かの収納場所として利用することは、最も有益なことと考えられる。その内側を何かの為の収納庫として、利用するならば、同じ形状で大きさの違うこけしを収納することにより、様々な利便性が生まれるものである。
箱やバッグ、袋といった、本来、物を入れるといった目的機能ではなく、装飾品という、本来入れ物でないものに収納機能を持たせる発案は、あらゆる生活を豊かにする為に、産業発案に利用できる可能性は極めて高いと思われる。
【図面の簡単な説明】
【０００８】
【図１ａ】  １１個全て入れ子状態のこけしの断面図。
【図１ｂ】  上下合わせて蓋をした状態で、中に何も入っていない入れ子こけしの断面図。
【図１ｃ】  入れ子こけしの上下を開けた、空の状態の断面図。
【図２】  一番大きな入れ子こけしを開けて、最小のこけしをひとつ収納した状態。
【図３】  一番大きな入れ子こけしを開けて、二番目に小さな入れ子こけしに、一番小さなこけしを収納した状態。
【図４】  一番大きな入れ子こけしを開けて、三番目に小さな入れ子こけしを収納し、それに二番目に小さな入れ子こけしを収納し、更に、一番小さなこけしを収納した状態。
【図１ａ】
0003149222.tif 000003
【図１ｂ】
0003149222.tif 000004
【図１ｃ】
0003149222.tif 000005
【図２】
0003149222.tif 000006
【図３】
0003149222.tif 000007
【図４】
0003149222.tif 000008
(57)【要約】      （修正有）【課題】躰に帯電した静電気を靴底から地面に常に放電させる靴を提供する。【解決手段】絶縁体で出来ている靴底に一部導電体を靴内部から外部へ貫通させ、躰の静電気を靴底より放電出来るようにした。靴底１の先端部で導電体２を靴３の内部と外部とを貫通させる。導電体２は靴３内部でつま先が触れる程度の長さで設置する。靴底１の外部に露出した導電体２は人が地面を踏みしめた時、地面に接地する程度に露出させる。設置する部分は靴底１の先端部に限らず絶縁体を導電体で貫通させ放電させるものであればどの部分でもよい。【選択図】図１
0003149230.tif 000002
【実用新案登録請求の範囲】
【請求項１】
靴底の任意の部分に靴の内部と外部を導電体で貫通させ、導電体が内部は足（靴下も含む）と触れるように、外部は地面と接地出来るよう露出させて設置した静電気放電靴。
【考案の詳細な説明】
【技術分野】
【０００１】  本案は躰に帯電した静電気を靴底から地面に常に放電させる為の考案である。
【背景技術】
【０００２】  従来、乾燥した季節等に躰に帯電した静電気の影響で何かに触れた時ビリッと来て不快な思いをする事がよくあった、その為、静電気防止グッズもいろいろ販売されているがその都度、そのために持ち歩くのは面倒であった、また常に履いている靴底から地面に放電出来ればいいのであるが、靴底は普通合成樹脂等の絶縁体で出来ており静電気を逃がす事はできなかった、人体は何かに接するたびに常に静電気を発生させており、躰が帯電すると血液がどろどろになったり、肌がカサカサになったり、かぜを引きやすくなるという悪影響のデーターもあり、健康で、マイナスイオンを吸収しやすい躰にしておくにも、帯電した静電気を放電する事が、大切である。
【考案の開示】
【考案が解決しようする課題】
【０００３】本案は意識しなくても躰に帯電した静電気を日常生活の中で常に放電させることにより不快な思いをする事なく、また帯電による躰への悪影響を無くする事を目的とする。
【課題を解決するための手段】
【０００４】本案は靴底▲１▼の先端部で導電体▲２▼を靴▲３▼の内部と外部とを貫通させる。
導電体▲２▼は靴▲３▼内部でつま先が触れる程度の長さで設置する
靴底▲１▼の外部に露出した導電体▲２▼は人が地面を踏みしめた時、地面に接地する程度に露出させる。設置する部分は靴底▲１▼の先端部に限らず絶縁体を導電体で貫通させ放電させるものであればどの部分でもよい。
【考案の効果】
【０００５】本案を設置した靴を履くことにより静電気による不快な思いを防ぐことが出来、意識しなくても静電気を放電している状態となるので躰が空気中にあるマイナスイオンを吸収しやすくなりお肌や健康面にも良い、本案は安価にて設置することが出来、靴は世界中の人が日常的に使っている物で、一部の人だけでなく多くの人の役にたつことができる。
【考案を実施するための最良の形態】
【０００６】以下、添付図面に従って本案の構造を説明する、靴底▲１▼の先端部で導電体▲２▼を靴▲３▼の内部と外部とを貫通させる。導電体▲２▼は靴▲３▼内部でつま先が触れる程度の長さで設置する、靴底▲１▼の外部に露出した導電体▲２▼は人が地面を踏みしめた時、地面に接地する程度に露出させる、また靴▲３▼内部先端部分に導電性の箔▲４▼を貼り付け、靴底▲１▼を貫通させた導電体▲２▼と接触させた物でも良い。【０００７】本案を使用するにあたっては通常どうり靴を履いて歩き回るだけで良い。【０００８】  上記のような構造をしたものを基本とするが、導電体を設置する部分は靴の内部から外部に絶縁体を貫通させ、放電出来れば靴底▲１▼のどの部分でも良く、靴▲３▼内部に貼り付けた導電性の箔▲４▼は先端部に限らずどの部分でも良い。
【図面の簡単な説明】
【０００９】
【図１】  本考案の靴の断面図
【図２】  本考案の靴の内部に導電性の箔を貼り付けた状態の断面図
【図３】  本考案内部を透かして見た靴の斜視図
【符号の説明】
▲１▼  靴底
▲２▼  導電体
▲３▼  靴
▲４▼  導電性の箔
【図１】
0003149230.tif 000003
【図２】
0003149230.tif 000004
【図３】
0003149230.tif 000005
(57)【要約】      （修正有）【課題】歩行毎に足指５本間を刺激摩擦してマッサージ効果を得ることができ、血行を促進して健康向上に役立つ履物を提供する。【解決手段】履物本体１に鼻緒２、鼻緒３、鼻緒４、鼻緒５の計４本を設け、第１指と第２指間に鼻緒２、第２指と第３指間に鼻緒３、第３指と第４指間に鼻緒４、第４指と第５指間に鼻緒５をそれぞれ通して履くことにより、安定歩行を可能にし、更に健康向上に役立つ。【選択図】図１
0003149242.tif 000002
【実用新案登録請求の範囲】
【請求項１】
履物本体に鼻緒４本を設け、足指５本の間に鼻緒を通して履くことを特徴とする鼻緒４本付履物。
【考案の詳細な説明】
【技術分野】
【０００１】  本考案は、鼻緒を４本設けた、履物に関するものである。
【背景技術】
【０００２】  鼻緒を１本設けた履物を、第１指と第２指の間に通して履いていた。
【考案の開示】
【考案が解決しようとする課題】
【０００３】  第１指と第２指の間に１本の鼻緒を通して履くのでは、雨等でぬかっている地面、砂浜等の履物が沈む状況での歩行時に脱げることが多い。また、走ったりする場合に脱げて転倒する恐れもある。更に、鼻緒に過度の力が加わる等の原因で鼻緒が外れる、切れる等で歩行が困難になることも生じる。従って、鼻緒を４本付けて足指５本の間に鼻緒を通して履くことにより、容易に脱げるのを防ぐと共に鼻緒にかかる負担を分散させることで鼻緒が外れる、切れる等の予防が可能になり、前述の欠点を解決しようとするものである。
【課題を解決するための手段】
【０００４】  本考案は、履物本体に４本の鼻緒を設けて、足指５本の間に通して履くことにより問題点を解決している。
【考案の効果】
【０００５】  上述の様に、本考案の鼻緒を４本設けた履物は解放的な簡易履物であることは勿論、鼻緒が容易に外れる、切れる等の予防をして安定歩行を可能にし、更に足指５本の間に鼻緒を通して履くことにより、歩行毎に足指５本間を刺激摩擦してマッサ−ジ効果を得ることができるので血行促進して健康向上に役立つ。
【考案を実施するための最良の形態】
【０００６】  履物本体に右足用と左足用、それぞれの足指形に合わせた位置に、第１指と第２指間に通す鼻緒１本、第２指と第３指間に通す鼻緒１本、第３指と第４指間に通す鼻緒１本、第４指と第５指間に通す鼻緒１本の計４本の鼻緒を設けることにより、足指５本の間に鼻緒を通して履くことが自在となる。
【実施例】
【０００７】  以下、添付図面に従って一実施例を説明する。１は耐久性のゴム等適宣素材にて一体化形成された履物本体、２は該履物本体１に設けた第１指と第２指間に通す鼻緒、３は該履物本体１に設けた第２指と第３指間に通す鼻緒、３は該履物本体１に設けた第３指指と第４指間に通す鼻緒、４は該履物本体１に設けた第４指と第５指間に通す鼻緒である。
【図面の簡単な説明】
【０００８】
【図１】  本考案の鼻緒４本付履物の一実施例を示す平面図である。
【符号の説明】
【０００９】  １  履物本体
２  鼻緒
３  鼻緒
４  鼻緒
５  鼻緒
【図１】
0003149242.tif 000003
(57)【要約】      （修正有）【課題】１日１カプセル（あるいは２カプセル）で十分な量を摂取できる高容量のヒアルロン酸をカプセルに配合し、飲みやすい上に、その効果・即効性を強めたヒアルロン酸含有サプリメントを提供する。【解決手段】ヒアルロン酸１２０ｍｇ以上をカプセルに配合してなるものである。これにより１日に十分な量のヒアルロン酸を簡単にかつ飲みやすく摂取することができる。【選択図】図１
0003149249.tif 000002
【実用新案登録請求の範囲】
【請求項１】
ヒアルロン酸120ｍｇ以上をカプセルに配合してなるヒアルロン酸含有サプリメント。
【請求項２】
ヒアルロン酸粉末120ｍｇ以上を、植物由来カプセルに配合してなるヒアルロン酸含有サプリメント。
【考案の詳細な説明】
【技術分野】
【０００１】
本考案は、たとえばみずみずしい美肌を求める美容サプリメントとしての使用に好適であるヒアルロン酸含有サプリメントに関するものである。
【背景技術】
【０００２】
ヒアルロン酸には皮膚の諸症状（乾燥肌・かさつき・シワ・弾力性・柔軟性）の改善に効果があることが報告されているが、市販のヒアルロン酸を用いたヒアルロン酸含有サプリメントは一粒あたり100mg以下の容量が普通であり、また錠剤により提供されることが多かった。
【特許文献１】特開2007-197371
【０００３】
上記したように、市販のヒアルロン酸を用いたヒアルロン酸含有サプリメントは100mg以下の容量の錠剤で提供されているため、効果が
弱い上に効果の発現も遅いという不満があったものである。
【０００４】
また、錠剤形態による一粒あたり100mg以下の容量であるため、飲みにくい上に、一粒あたりに含まれるヒアルロン酸の量にも不満が
あった。
さらに、ＢＳＥの不安がある動物由来のゼラチンカプセルなどが使用されていることにも不安があった。
【考案の開示】
【考案が解決しようとする課題】
【０００５】
解決しようとする問題点は、１日に十分な量のヒアルロン酸の容量を簡単にかつ飲みやすく摂取でき、しかも保湿効果とともに即効性をも強めたヒアルロン酸含有サプリメントを提供することにある。
また、ＢＳＥ（牛海綿状脳症、狂牛病）の不安を解消する安全で胃内での溶解が早い植物由来カプセルを使用することにある。
【課題を解決するための手段】
【０００６】
本考案は、この解決策として、１日に十分な量のヒアルロン酸の容量は120ｍｇ以上であることを確かめ、ヒアルロン酸120ｍｇ以上をカプセルに配合して飲みやすくしたことをその特徴とする。
【考案の効果】
【０００７】
本考案のヒアルロン酸含有サプリメントは、純粋なヒアルロン酸を120ｍｇ以上という高容量をカプセルに配合したから、飲みやすい上に、たとえば1日１カプセル（あるいは２カプセル）で十分な量を摂取でき、その効果も迅速でかつ強いという利点がある。
また、たとえばHPＭCを原料とする植物由来カプセルを使用すると、動物由来カプセルより安全である上に、脂肪分ゼロ、低カロリーであるのでダイエット中でも摂取できるものである。
【考案を実施するための最良の形態】
【０００８】
ヒアルロン酸を120ｍｇ以上カプセルに配合することにより実現した。
【実施例１】
【０００９】
図１は、本考案の１実施例を示す写真であって、本考案に係るヒアルロン酸含有サプリメントはカプセル１に、純粋なヒアルロン酸粉末２を120ｍｇ、成分安定剤としてコーンスターチ３を同じく120ｍｇ配合している。上記カプセル１はこの実施例ではHPＭCを原料とする植物由来カプセルを使用した。
このように、１カプセルあたりに含有されるヒアルロン酸粉末２を120ｍｇという高容量としているから、たとえば1日１カプセル（あるいは２カプセル）水またはお湯などで飲むだけで十分な量を簡単に摂取できる。
【００１０】
上記実施例に示すように、カプセルはHPＭCを原料とする植物由来カプセルを使用すると、安全である上に、脂肪分ゼロ、低カロリ
ーであるのでダイエット中でも摂取できる。
【００１１】
尚、上記実施例では、カプセル１に純粋なヒアルロン酸粉末２を120ｍｇ配合したが、粉末の形態に限らずカプセルに高容量を配合可
能であればどのようなヒアルロン酸の形態であってもよく、容量も120ｍｇ以上であればよい。
また、みずみずしい美肌作りのための美容サプリメントとしての摂取はもちろんのこと、上記したようにヒアルロン酸は皮膚の諸症状（乾
燥肌・かさつき・シワ・弾力性・柔軟性）の改善に効果があることが報告されていること、またそれ以外の効果が追認される可能性もあ
ることから、使用目的は限定されることなく、種々の目的のために摂取することができる。
さらに、上記実施例では、カプセルはHPＭCを原料とする植物由来カプセルを使用したが、植物由来カプセルに限らず原料を異にする
その他のカプセルであってもよい。
【産業上の利用可能性】
【００１２】
一カプセルに含まれるヒアルロン酸容量を120ｍｇ以上の高容量としているから、錠剤に比べると胃内での分解が早く、高容量のヒア
ルロン酸が一気に胃内に広がり消化管に流入するため、たとえば美容サプリメントとして使用すると従来品に比べると保湿効果とともに
即効性も強められ、みずみずしい美肌が得られるなど、ヒアルロン酸の持つ特有の効果が顕著に発揮できる。
【図面の簡単な説明】
【００１３】
【図１】本考案の一実施例の概略図である。
【符号の説明】
【００１４】
１ カプセル
２ ヒアルロン酸粉末
３ コーンスターチ
【図１】
0003149249.tif 000003
(57)【要約】      （修正有）【課題】道路上の路面で鋭利な金属がタイヤにささり踏み抜きによって、タイヤ内の空気が抜ける不都合を解消したタイヤを提供する。【解決手段】タイヤの内部内側全体に弾力あるゴム板を装着し、タイヤの硬い表面と内部の弾力あるゴム板で構成されたタイヤである。この弾力あるゴム板によって、鋭利な金属がタイヤにささって踏み抜き又は、刺さった状態で、このゴム板によって穴をふさぎ、刺さった金属を包み込むことによりタイヤ内の空気が抜けないのである。【選択図】図１
0003149210.tif 000002
【実用新案登録請求の範囲】
【請求項１】
タイヤの内部内側全体に弾力あるゴム板を装着したタイヤ
【請求項２】
タイヤの内部内側一部分に弾力あるゴム板を装着したタイヤ
【考案の詳細な説明】
【技術分野】
【０００１】  本考案は、タイヤに関するものである。
【背景技術】
【０００２】  従来のタイヤは鋭利な金属がタイヤにささつてその隙間から空気が抜けていた。
【考案の開示】
【考案が解決しようとする課題】
【０００３】  しかし、これでは、タイヤの空気圧が不足してタイヤ交換が必要でありドライバーにとつては、大きな負担であり又高速道路では危険な作業であつた。
【課題を解決するための手段】
【０００４】  そこで、タイヤの内部内側全体に弾力あるゴム板を装着するタイヤを考案したタイヤの硬い表面と内部の弾力あるゴム板で構成されたタイヤである。この弾力あるゴム板によつて鋭利な金属がタイヤにささつて踏み抜き又は、刺さつた状態で、このゴム板によつて穴をふさぐそして刺さつた金属を包み込むことによりタイヤ内の空気が抜けないのである
【考案の効果】よつて、本考案のタイヤにより、タイヤが道路上の路面で鋭利な金属がタイヤにささり踏み抜きによつて、タイヤ内の空気が抜けるのを、タイヤの内側内部に弾力あるゴム板を装着した。この弾力あるゴム板によつて踏み抜きの穴を弾力あるゴム板とタイヤ内の空気圧によつて穴をふさぎ空気が漏れない。また、金属がタイヤに刺さつた状態でも、金属をゴム板が包み込むことによりタイヤ内の空気が抜けないのである
【考案を実施するための最良の形態】
【０００５】  本考案に係るタイヤは、図１に示すように、タイヤの断面図（地面）に設けたことを特徴とする、示すように、タイヤの内部内側全部に弾力あるゴム板を強固に装着するタイヤを備えている。これはゴムの収縮する性質を利用したものである。又、弾力あるゴム板の替わりにゼリー状のゴム液を塗つたものでもよい【０００６】なお、道路の縁石、凹及び突起物などに乗り越してタイヤの側面が損傷、亀裂が生じた時にはこの限りではない。
【図面の簡単な説明】
【０００７】
【図１】  タイヤの内側全部分に弾力あるゴム板を装着するタイヤの断面図を備えている。
【図２】  タイヤが道路（地面）に接地する内側部分に弾力あるゴム板を装着するタイヤの断面図を備えている。
【図３】  従来のタイヤの断面図を設けたことを特徴とする。
【符号の説明】
【０００８】  １  タイヤ
２  ゴム板
３  ビート
４  地面
５  金属の踏み抜きの穴
６  金属（釘）が刺さつた状態
【図１】
0003149210.tif 000003
【図２】
0003149210.tif 000004
【図３】
0003149210.tif 000005
(57)【要約】      （修正有）【課題】農業用ビニールハウスを設置する際、パイプ材で骨組みを建て、ビニールシートで覆い被せる。その上を風で飛ばされないようにパイプとパイプの間を樹脂製のハウスバンドで押さえるが、その際、ビニールバンドの端をハウスの屋根を越して向こう側に簡単に渡せるボールを提供する。【解決手段】柔らかいゴムボールにハウスバンドが楽に通うる孔を２個空いてるものに、ハウスバンドの端をボールから１０センチぐらい出るように差込、余分に差し込んだ端を片方の穴に差し戻しますとボールと一体になり抜けなくなる。ボールからハウスバンドを離す時は、最初差し込んだバンドと後で差し込んだバンドと一緒に押し戻すとボールからバンドを簡単に解放することが出来る。ボールに表面にバンドが突起しないよう孔と孔の境壁を低くしてあり、柔らかいゴムボールなので人体やハウスの屋根などにも優しく対応でき、ボールですからハウスの向こう側にも投げ渡し易い。【選択図】図１
0003149206.tif 000002
【実用新案登録請求の範囲】
【請求項１】
柔らかいゴムボールにハウス用のハウスバンドの端が楽に通うセル孔を２個並べて孔を空けたものです。
【請求項２】
ゴムボールに２個並べて空けた孔と孔との境壁を上部も下部もハウスバンドの端を片方の孔に差し戻した際、ボールの表面よりハウスバンドがやや低くなるように、境壁を低くしてあります。  ハウスバンドボールにハウスバンドを差込セットして向こう側に投げた際、ボールに突起が出ていると人体やハウスの屋根に落ちた際、障害になるので折り返して差し込んだハウスバンドが、ボール表面より低く収まるように窪みを付けてあります。
【考案の詳細な説明】
【技術分野】
【０００１】本考案は、農業用ビニールハウスを設置する際、パイプ材で骨組みを建て、ビニールシートで覆い被せます。  その上を風で飛ばされないようにパイプとパイプの間を樹脂製のハウスバンドで押さえますが、  その際、ビニールバンドの端をハウスの屋根を越して向こう側に簡単に渡せるようにした考案です。
【背景技術】
【０００２】従来から、ハウスバンドの端に、軍手に砂を詰めた物や、ビニール袋に砂を詰めた物や、木片などの端に結んで投げ渡していました。
【考案の開示】
【考案が解決しようとする課題】
【０００３】砂袋や木片を、軟らかいゴムボールに変え、向こう側の人や、ビニールの屋根を痛めないようにする事と、ハウスバンドの端をボールとの接続は容易に、ハウスバンドからボールが簡単に抜け易くした考案です。
【課題を解決するための手段】
【０００４】ビニールハウスの屋根上をハウスバンドの端を柔らかいゴムボールに取り付け、向こう側に投げ渡します。  ゴムボールには、ハウスバンドの端が楽に通うせる孔を２個並べて備えます。  上下どちらからでもハウスバンドの端を、もう１個の孔に指し戻しますと一体化して抜けません。  抜き取る際はボールから差し戻しされた端と、最初差し込んだものと２本一緒に戻しますとボールから簡単に抜き取れます。
【考案の効果】
【０００５】柔らかいゴムボールですので安全ですし、作業時間も大幅短縮されます。
【実施例】
【０００６】ゴムボールですので向こう側に投げ易く、人間、ビニール屋根にも優しいです。
【図面の簡単な説明】
【０００７】
【図１】  平面図
【図２】  前面図  側面図
【符号の説明】
【０００８】１  ビニールハウス用ハウスバンドボウルを上から見た図
２  ボールにビニールハウス用ハウスバンドを通うす孔２箇所
３  ハウスバンドボールを前面から見た図
４  ハウスバンドボールを側面から見た図
５  ハウスバンドを隣の孔に差し戻した際でも、ボールの表面から突起しないように窪みを設けたものです。
【図１】
0003149206.tif 000003
【図２】
0003149206.tif 000004
【手続補正書】
【提出日】平成20年12月10日(2008.12.10)
【手続補正１】
【補正対象書類名】実用新案登録請求の範囲
【補正対象項目名】全文
【補正方法】変更
【補正の内容】
【実用新案登録請求の範囲】
【請求項１】
柔らかいゴムボールにハウス用のハウスバンドの端が楽に通せる孔を２個並べて空けた事を特徴とするビニールハウスバンドボール。
【請求項２】
ゴムボールに２個並べて空けた孔と孔との境壁を上部も下部もハウスバンド端を片方の孔に差し戻した際、ボールの表面よりハウスバンドがやや低くなるようにした事を特徴とする請求項１記載のビニールハウスバンドボール。